(57)【要約】【課題】  ハンドオーバー時にハンドオーバー先セルの受信状態が劣化していた場合の音声通話の切断を防ぐ。【解決手段】  移動通信装置１００のハンドオーバー制御部１１１は、ネットワークからのハンドオーバー指示を受信すると、物理レイヤ制御部１３１にハンドオーバーを指示する。物理レイヤ制御部１３１は、ハンドオーバー先セルの受信状態を基にハンドオーバーの可否を判定し、ハンドオーバー先セルへの切替を行う。【選択図】      図１
2009027575.tif 000002
【特許請求の範囲】
【請求項１】
ネットワークからのハンドオーバー指示を受信し、ハンドオーバー処理を起動するハンドオーバー制御部と、
前記ハンドオーバー制御部が前記ハンドオーバー処理を起動した際、ハンドオーバー先セルの受信状態を基にハンドオーバーの可否を判定し、前記ハンドオーバー先セルへの切替を行う物理レイヤ制御部と
を備えたことを特徴とする移動通信装置。
【請求項２】
前記ハンドオーバー制御部は、前記物理レイヤ制御部が前記ハンドオーバー先セルの受信状態を基にハンドオーバー不可と判定した場合、ハンドオーバー失敗を前記ネットワークに通知することを特徴とする請求項１記載の移動通信装置。
【請求項３】
前記物理レイヤ制御部は、前記ハンドオーバー先セルに関する受信強度と受信強度閾値との比較により、ハンドオーバーの可否を判定することを特徴とする請求項１または２に記載の移動通信装置。
【請求項４】
前記物理レイヤ制御部は、前記ハンドオーバー先セルに関する受信品質と受信品質閾値との比較により、ハンドオーバーの可否を判定することを特徴とする請求項１または２に記載の移動通信装置。
【請求項５】
前記移動通信装置は、ＧＳＭ方式に従って通信を行う移動通信装置であることを特徴とする請求項１乃至４のいずれかに記載の移動通信装置。
【請求項６】
移動通信装置にハンドオーバー指示を送信するネットワークと、
前記ネットワークからのハンドオーバー指示を受信し、ハンドオーバー処理を起動するハンドオーバー制御部と、
前記ハンドオーバー制御部が前記ハンドオーバー処理を起動した際、ハンドオーバー先セルの受信状態を基にハンドオーバーの可否を判定し、前記ハンドオーバー先セルへの切替を行う物理レイヤ制御部と
を有する前記移動通信装置と
を備えたことを特徴とする移動通信システム。
【請求項７】
前記移動通信装置の前記ハンドオーバー制御部は、前記物理レイヤ制御部が前記ハンドオーバー先セルの受信状態を基にハンドオーバー不可と判定した場合、ハンドオーバー失敗を前記ネットワークに通知することを特徴とする請求項６記載の移動通信システム。
【請求項８】
ネットワークからのハンドオーバー指示を受信し、ハンドオーバー処理を起動するハンドオーバー起動ステップと、
前記ハンドオーバー起動ステップが前記ハンドオーバー処理を起動した際、ハンドオーバー先セルの受信状態を基にハンドオーバーの可否を判定し、前記ハンドオーバー先セルへの切替を行う物理レイヤ制御ステップと
を含むことを特徴とするハンドオーバー方法。
【請求項９】
前記ハンドオーバー方法は、更に、前記物理レイヤ制御ステップにおいて、前記ハンドオーバー先セルの受信状態を基にハンドオーバー不可と判定された場合、前記ネットワークにハンドオーバー失敗を通知するハンドオーバー結果通知ステップを含むことを特徴とする請求項８記載のハンドオーバー方法。
【請求項１０】
前記物理レイヤ制御ステップは、前記ハンドオーバー先セルに関する受信強度と受信強度閾値との比較により、ハンドオーバーの可否を判定することを特徴とする請求項８または９に記載のハンドオーバー方法。
【請求項１１】
前記物理レイヤ制御ステップは、前記ハンドオーバー先セルに関する受信品質と受信品質閾値との比較により、ハンドオーバーの可否を判定することを特徴とする請求項８または９に記載のハンドオーバー方法。
【請求項１２】
移動通信装置用コンピュータを、ネットワークからのハンドオーバー指示を受信し、ハンドオーバー処理を起動するハンドオーバー制御手段と、
前記ハンドオーバー制御手段が前記ハンドオーバー処理を起動した際、ハンドオーバー先セルの受信状態を基にハンドオーバーの可否を判定し、前記ハンドオーバー先セルへの切替を行う物理レイヤ制御手段と
して機能させることを特徴とする移動通信装置用プログラム。
【請求項１３】
前記ハンドオーバー制御手段は、前記物理レイヤ制御手段が前記ハンドオーバー先セルの受信状態を基にハンドオーバー不可と判定した場合、ハンドオーバー失敗を前記ネットワークに通知することを特徴とする請求項１２記載の移動通信装置用プログラム。
【請求項１４】
前記物理レイヤ制御手段は、前記ハンドオーバー先セルに関する受信強度と受信強度閾値との比較により、ハンドオーバーの可否を判定することを特徴とする請求項１２または１３に記載の移動通信装置用プログラム。
【請求項１５】
前記物理レイヤ制御手段は、前記ハンドオーバー先セルに関する受信品質と受信品質閾値との比較により、ハンドオーバーの可否を判定することを特徴とする請求項１２または１３に記載の移動通信装置用プログラム。
【発明の詳細な説明】
【技術分野】
【０００１】
本発明は、移動通信装置、ハンドオーバー方法、及び移動通信装置用プログラムに関し、特に、ネットワークからの指示によりセル間のハンドオーバーを行う移動通信装置、ハンドオーバー方法、及び移動通信装置用プログラムに関する。
【背景技術】
【０００２】
携帯電話装置のような移動通信装置において、ネットワークからの指示によりセル間のハンドオーバーを行う方法として、例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式のハンドオーバー方法が非特許文献１に記載されている。ＧＳＭ方式のハンドオーバーの動作を図６に示す。図６を参照すると、ネットワーク２００は、移動通信装置１００から報告された接続中のセル及び隣接セルの受信状態（受信強度や受信品質等）に基づいて、ハンドオーバー指示（ＨＡＮＤＯＶＥＲ  ＣＯＭＭＡＮＤ）を移動通信装置１００に送信する。移動通信装置１００のＲＲ（Ｒａｄｉｏ  Ｒｅｓｏｕｒｃｅ）レイヤは、ネットワーク２００から受信したハンドオーバー指示にて指定されたハンドオーバー先セル情報（ＲＲレイヤのパラメータ（Ｃｈａｎｎｅｌ  Ｄｅｓｃｒｉｐｔｉｏｎ、Ｃｈａｎｎｅｌ  Ｍｏｄｅ、周波数帯域等））が移動通信装置１００のサポートしているものであるかどうかを判定する。指定されたパラメータがサポートしているものである場合、ＲＲレイヤは、指定されたハンドオーバー先セルのチャネルへの切替を行い、ハンドオーバー成功（ＨＡＮＤＯＶＥＲ  ＣＯＭＰＬＥＴＥ）をネットワーク２００に送信する。サポートしているものでない場合、ＲＲレイヤは、ハンドオーバー失敗（ＨＡＮＤＯＶＥＲ  ＦＡＩＬＵＲＥ）をネットワーク２００に送信する。ネットワーク２００は、ハンドオーバー失敗を受信した場合、更に別なセルへのハンドオーバー指示を移動通信装置１００に送信する。
【０００３】
【非特許文献１】３ＧＰＰ  ＴＳ  ０４．１８  Ｖ８．２７．０（２００６−０５）
【発明の開示】
【発明が解決しようとする課題】
【０００４】
上述の通り、非特許文献１記載の技術においては、ネットワーク２００は、移動通信装置１００から報告された接続中のセル及び隣接セルの受信状態に基づいてハンドオーバー指示を行う。しかしながら、移動通信装置１００が隣接セルの受信状態を測定する際に、当該隣接セルの基地局以外の通信機器の影響を受けた場合、誤った受信状態をネットワーク２００に報告する可能性がある。この場合、ネットワーク２００におけるハンドオーバーの判定が誤って行われ、実際のハンドオーバー先セルの受信状態は劣化していることがある。また、移動通信装置１００の移動等に伴い、ハンドオーバー実行時のハンドオーバー先セルの受信状態が、隣接セルの受信状態として報告した時よりも急激に劣化することもある。非特許文献１には、移動通信装置１００が、ハンドオーバーを実行する時点で、遷移先セルの受信状態を確認するかどうかについては規定されていない。ハンドオーバー時点でハンドオーバー先セルの受信状態が劣化していた場合の動作を図７に示す。図７を参照すると、移動通信装置１００は、ハンドオーバー先セルへのハンドオーバーを実施後、音声データの欠損を検出する。移動通信装置１００は、ＤＳＣ（Ｄｏｗｎｌｉｎｋ  Ｓｉｇｎａｌｉｎｇ  Ｃｏｕｎｔｅｒ）のカウントを行い、所定のカウンタ閾値に従って、一定時間後に、Ｄｏｗｎｌｉｎｋ  Ｓｉｇｎａｌｉｎｇ  Ｆａｉｌｕｒｅを検出する。その後、移動通信装置１００は、音声通話を切断し、再度、セルの報知情報（セルの接続情報や隣接セルの情報を含むネットワークメッセージ）を受信し、接続可能なセルへの接続、音声通話の再接続を行う。このように、ハンドオーバー時点でハンドオーバー先セルの受信状態が劣化していた場合、音声通話が切断されることがある。
【０００５】
（発明の目的）
本発明の目的は、上述した課題である、ハンドオーバー時点でハンドオーバー先セルの受信状態が劣化していた場合に、音声通話が切断されてしまうという問題を解決した、移動通信装置、ハンドオーバー方法、及び移動通信装置用プログラムを提供することである。
【課題を解決するための手段】
【０００６】
本発明の移動通信装置は、ネットワークからのハンドオーバー指示を受信し、ハンドオーバー処理を起動するハンドオーバー制御部と、前記ハンドオーバー制御部が前記ハンドオーバー処理を起動した際、ハンドオーバー先セルの受信状態を基にハンドオーバーの可否を判定し、前記ハンドオーバー先セルへの切替を行う物理レイヤ制御部とを備えたことを特徴とする。
【０００７】
本発明の移動通信システムは、移動通信装置にハンドオーバー指示を送信するネットワークと、前記ネットワークからのハンドオーバー指示を受信し、ハンドオーバー処理を起動するハンドオーバー制御部と、前記ハンドオーバー制御部が前記ハンドオーバー処理を起動した際、ハンドオーバー先セルの受信状態を基にハンドオーバーの可否を判定し、前記ハンドオーバー先セルへの切替を行う物理レイヤ制御部とを有する前記移動通信装置と
を備えたことを特徴とする。
【０００８】
本発明のハンドオーバー方法は、ネットワークからのハンドオーバー指示を受信し、ハンドオーバー処理を起動するハンドオーバー起動ステップと、前記ハンドオーバー起動ステップが前記ハンドオーバー処理を起動した際、ハンドオーバー先セルの受信状態を基にハンドオーバーの可否を判定し、前記ハンドオーバー先セルへの切替を行う物理レイヤ制御ステップとを含むことを特徴とする。
【０００９】
本発明の移動通信装置用プログラムは、移動通信装置用コンピュータを、ネットワークからのハンドオーバー指示を受信し、ハンドオーバー処理を起動するハンドオーバー制御手段と、前記ハンドオーバー制御手段が前記ハンドオーバー処理を起動した際、ハンドオーバー先セルの受信状態を基にハンドオーバーの可否を判定し、前記ハンドオーバー先セルへの切替を行う物理レイヤ制御手段として機能させることを特徴とする。
【発明の効果】
【００１０】
本発明の効果は、ハンドオーバー時にハンドオーバー先セルの受信状態が劣化していた場合に、音声通話の切断を防ぐことである。
【発明を実施するための最良の形態】
【００１１】
（第一の実施の形態）
次に、本発明の第一の実施の形態について図面を参照して詳細に説明する。図１に本発明の第一の実施の形態における移動通信装置１００の構成を示す。移動通信装置１００は、基地局や基地局制御装置によって構成されるセルラー通信のネットワーク（図示せず）に接続され、ネットワークからのハンドオーバー指示に従って、セル間のハンドオーバーを行う。移動通信装置１００は、ハンドオーバー制御部１１１と物理レイヤ制御部１３１により構成される。ハンドオーバー制御部１１１と物理レイヤ制御部１３１は、プログラム制御によって動作するコンピュータにより構成してもよい。ここで、ハンドオーバー制御部１１１は、ネットワークから受信したハンドオーバー指示に従って、物理レイヤ制御部１３１にハンドオーバーを指示する。物理レイヤ制御部１３１は、ネットワークにより指定されたハンドオーバー先セルの受信状態（受信強度、受信品質（ビット誤り率））が、移動通信装置１００において定められた受信状態であるかどうかを判定し、ハンドオーバー先セルへの切替を行う。
【００１２】
次に本発明の第一の実施の形態の動作について図面を参照して詳細に説明する。図２に、本発明の第一の実施の形態におけるハンドオーバー処理のフローチャートを示す。ネットワークは、音声通話中に、移動通信装置１００から通知された受信状態等を基に別のセルへのハンドオーバーが必要であると判断すると、ハンドオーバー先セル情報（ハンドオーバー先セルの周波数チャネル等）を指定したハンドオーバー指示を移動通信装置１００へ送信する。
【００１３】
移動通信装置１００のハンドオーバー制御部１１１は、ハンドオーバー指示を受信する（ステップＡ１０１）。ハンドオーバー制御部１１１は、ハンドオーバー指示に含まれるハンドオーバー先セル情報が移動通信装置１００のサポートしているものかどうかを判定する（ステップＡ１０２）。例えば、ハンドオーバー制御部１１１は、ハンドオーバー先セル情報内の周波数チャネルが、移動通信装置１００がサポートする周波数バンド内かどうかを判定する。ハンドオーバー先セル情報が移動通信装置１００のサポートしているものである場合、ハンドオーバー制御部１１１は、物理レイヤ制御部１３１にハンドオーバー先セルへのハンドオーバーを指示する（ステップＡ１０３）。物理レイヤ制御部１３１は、ハンドオーバー先セルの受信状態（受信強度、受信品質）をモニタし、当該受信状態が予め定められた閾値以上であるかどうかを判定する（ステップＡ１０４）。
【００１４】
ハンドオーバー先セルの受信状態が閾値以上の場合、物理レイヤ制御部１３１は、ハンドオーバー先セルへの切替を行う（ステップＡ１０５）。物理レイヤ制御部１３１は、ハンドオーバー制御部１１１にハンドオーバーの完了を通知する（ステップＡ１０６）。
【００１５】
一方、ハンドオーバー先セルの受信状態が閾値未満の場合、物理レイヤ制御部１３１は、ハンドオーバー制御部１１１にハンドオーバーの失敗を通知する（ステップＡ１０７）。
【００１６】
ハンドオーバー制御部１１１は、ハンドオーバー成功またはハンドオーバー失敗をネットワークに送信する（ステップＡ１０９、Ａ１１０）。
【００１７】
ネットワークは、ハンドオーバー失敗を受信した場合、再び、移動通信装置１００から通知された受信状態等を基に、更に別のセルへのハンドオーバー指示を移動通信装置１００へ送信する。
【００１８】
以上により、本発明の第一の実施例の動作が完了する。
【００１９】
本発明の第一の実施例によれば、ハンドオーバー時にハンドオーバー先セルの受信状態が劣化していた場合に、音声通話の切断を防ぐことができる。その理由は、物理レイヤ制御部１３１が、ハンドオーバー先セルの受信状態を基にハンドオーバーの可否を判定するため、受信状態劣化時のハンドオーバー実行による音声データ劣化が発生しないためである。
【００２０】
また、本発明の第一の実施例によれば、ハンドオーバー時にハンドオーバー先セルの受信状態が劣化していた場合に、ハンドオーバー先セルの異常検出に伴う消費電力を軽減できる。その理由は、物理レイヤ制御部１３１が、ハンドオーバー先セルの受信状態を基にハンドオーバーの可否を判定するため、受信状態の劣化時のハンドオーバー実行後の異常処理（音声データ劣化の検出、セル報知情報の取得、セルの切替等）が発生しないためである。
【００２１】
（第二の実施の形態）
次に、本発明の第二の実施の形態について図面を参照して詳細に説明する。本発明の第二の実施の形態においては、移動通信システムとして、ＧＳＭ方式の移動通信システムを例に説明する。図３に本発明の第二の実施の形態における移動通信システムの構成を示す。本発明の第二の実施の形態において、第一の実施の形態（図１）と同一の符号を有する構成要素は、特に説明の無い限り、第一の構成要素と同一であるものとする。本発明の第二の実施の形態における移動通信システムは、移動通信装置１００とネットワーク２００により構成される。
【００２２】
移動通信装置１００は、無線リソース処理部１１０、データリンク処理部１２０、及び物理レイヤ処理部１３０により構成される。無線リソース処理部１１０、データリンク処理部１２０、及び物理レイヤ処理部１３０は、プログラム制御によって動作するコンピュータにより構成してもよい。無線リソース処理部１１０は、ＧＳＭのＲＲレイヤの処理を行うもので、ハンドオーバー制御部１１１より構成される。データリンク処理部１２０は、ＧＳＭのＤａｔａ  Ｌｉｎｋレイヤの処理を行うもので、データリンク通信部１２１より構成される。データリンク通信部１２１は、ＬＡＰＤｍ（Ｌｉｎｋ  Ａｃｃｅｓｓ  Ｐｒｏｔｏｃｏｌ  ｆｏｒ  Ｄｉｇｉｔａｌ  Ｍｏｂｉｌｅ  Ｃｈａｎｎｅｌ）により、音声チャネル上の無線メッセージの送受信処理を行う。物理レイヤ処理部１３０は、ＧＳＭの物理レイヤ（ＧＬＬ１（ＧＳＭ  Ｌａｙｅｒ１））の処理を行うもので、物理レイヤ制御部１３１、受信状態閾値記憶部１３２、及び物理レイヤ通信部１３３より構成される。受信状態閾値記憶部１３２は、移動通信装置１００に予め設定された受信状態（受信強度（ＲＸＬＥＶ）、受信品質（ＲＸＱＵＡＬ（ビット誤り率）））の閾値を記憶管理する。物理レイヤ通信部１３３は、Ｄａｔａ  Ｌｉｎｋレイヤが送受信する無線メッセージを無線チャネルを通して、ネットワーク２００との間で送受信する。
【００２３】
ネットワーク２００はＧＥＲＡＮ（ＧＳＭ／ＥＤＧＥ  Ｒａｄｉｏ  Ａｃｃｅｓｓ  Ｎｅｔｗｏｒｋ）である。
【００２４】
次に本発明の第二の実施の形態の動作について図面を参照して詳細に説明する。図３に、本発明の第二の実施の形態におけるハンドオーバー処理のフローチャートを示す。ネットワーク２００は、音声通話中に、移動通信装置１００から通知された受信状態（受信強度（ＲＸＬＥＶ）、受信品質（ＲＸＱＵＡＬ））等を基に別のセルへのハンドオーバーが必要であるかどうかを判断する。ネットワーク２００は、ハンドオーバーが必要であると判断すると、ハンドオーバー指示（ＨＡＮＤＯＶＥＲ  ＣＯＭＭＡＮＤ）を移動通信装置１００へ送信する（ステップＢ２０１）。ハンドオーバー指示は、移動通信装置１００の物理レイヤ処理部１３０、データリンク処理部１２０を経由して、無線リソース処理部１１０に通知される。
【００２５】
無線リソース処理部１１０内のハンドオーバー制御部１１１は、ハンドオーバー指示を受信する（ステップＡ２０１）。ハンドオーバー制御部１１１は、ハンドオーバー指示に含まれるハンドオーバー先セル情報（ＲＲレイヤのパラメータ）が、移動通信装置１００がサポートしているものかどうかを判定する（ステップＡ２０２）。ハンドオーバー先セル情報が移動通信装置１００のサポートしているものである場合、ハンドオーバー制御部１１１は、物理レイヤ処理部１３０の物理レイヤ制御部１３１にハンドオーバー先セルへのハンドオーバーを指示する（ステップＡ２０３）。
【００２６】
図５（ａ）に、ハンドオーバー指示の形式、図５（ｂ）に、移動通信装置１００に予め設定されている、サポートする周波数バンドの情報を示す。例えば、ハンドオーバー制御部１１１は、ハンドオーバー先セル情報として、図５（ａ）のハンドオーバー指示内のＣｈａｎｎｅｌ  Ｄｅｓｃｒｉｐｔｉｏｎで指定されるハンドオーバー先のチャネル（ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ））が、図５（ｂ）の移動通信装置１００がサポートする周波数バンドのチャネルの範囲内かどうかを判定する。図５（ａ）のハンドオーバー指示内のＣｈａｎｎｅｌ  Ｄｅｓｃｒｉｐｔｉｏｎで指定されるＡＲＦＣＮ＝１００は、図５（ｂ）のＧＳＭ９００内のＡＲＦＣＮであるため、ハンドオーバー制御部１１１は、物理レイヤ制御部１３１にＡＲＦＣＮ＝１００へのハンドオーバーを指示する。
【００２７】
物理レイヤ制御部１３１は、ハンドオーバー先セルの受信状態（受信強度（ＲＸＬＥＶ）、受信品質（ＲＸＱＵＡＬ））をモニタし、当該受信状態が受信状態閾値記憶部１３２に記憶されている閾値以上であるかどうかを判定する（ステップＡ２０４）。
【００２８】
ハンドオーバー先セルの受信状態が閾値以上の場合、物理レイヤ制御部１３１は、ハンドオーバー先セルへの切替を行う（ステップＡ２０５）。
【００２９】
例えば、図５（ａ）のハンドオーバー指示に対して、物理レイヤ制御部１３１は、ＡＲＦＣＮ＝１００への切替を行う。
【００３０】
物理レイヤ制御部１３１は、ハンドオーバー制御部１１１にハンドオーバーの完了を通知する（ステップＡ２０６）。
【００３１】
一方、ハンドオーバー先セルの受信状態が閾値未満の場合、物理レイヤ制御部１３１は、ハンドオーバー制御部１１１にハンドオーバーの失敗を通知する（ステップＡ２０７）。
【００３２】
ハンドオーバー制御部１１１は、ハンドオーバーの成功時はハンドオーバー完了（ＨＡＮＤＯＶＥＲ  ＣＯＭＰＬＥＴＥ）を、失敗時はハンドオーバー失敗（ＨＡＮＤＯＶＥＲ  ＦＡＩＬＵＲＥ）をネットワーク２００に通知する（ステップＡ２０９、Ａ２１０）。
【００３３】
ネットワーク２００は、ハンドオーバー失敗を受信した場合、再び、移動通信装置１００から通知された受信状態（受信強度（ＲＸＬＥＶ）、受信品質（ＲＸＱＵＡＬ））等を基に、更に別のセルへのハンドオーバー指示を移動通信装置１００へ送信する（ステップＢ２０２）。
【００３４】
以上により、本発明の第二の実施例の動作が完了する。
【００３５】
本発明の第二の実施例によれば、ＧＳＭ方式の移動通信システムにおいて、ハンドオーバー時にハンドオーバー先セルの受信状態が劣化していた場合に、音声通話の切断を防ぐことができる。その理由は、ＲＲレイヤでハンドオーバー指示を受信した際、物理レイヤ制御部１３１が、ハンドオーバー先セルの受信状態を基にハンドオーバーの可否を判定するため、受信状態劣化時のハンドオーバー実行による音声データ劣化が発生しないためである。
【図面の簡単な説明】
【００３６】
【図１】本発明の第一の実施の形態を示す構成図である。
【図２】本発明の第一の実施の形態におけるハンドオーバーの動作を示すフローチャートである。
【図３】本発明の第二の実施の形態を示す構成図である。
【図４】本発明の第二の実施の形態におけるハンドオーバーの動作を示すフローチャートである。
【図５】本発明の第二の実施の形態におけるハンドオーバー指示の形式と移動通信装置における周波数バンドの設定内容を示す。
【図６】ＧＳＭシステムにおけるハンドオーバーの動作（通常時）を示すフローチャートである。
【図７】ＧＳＭシステムにおけるハンドオーバーの動作（ハンドオーバー時に受信状態が劣化した場合）を示すフローチャートである。
【符号の説明】
【００３７】
１００    移動通信装置
１１０    無線リソース処理部
１１１    ハンドオーバー制御部
１２０    データリンク処理部
１２１    データリンク通信部
１３０    物理レイヤ処理部
１３１    物理レイヤ制御部
１３２    受信状態閾値記憶部
１３３    物理レイヤ通信部
２００    ネットワーク
【図１】
2009027575.tif 000003
【図２】
2009027575.tif 000004
【図３】
2009027575.tif 000005
【図４】
2009027575.tif 000006
【図５】
2009027575.tif 000007
【図６】
2009027575.tif 000008
【図７】
2009027575.tif 000009